【手続補正書】
【提出日】平成26年6月20日(2014.6.20)
【手続補正１】
【補正対象書類名】明細書
【補正対象項目名】００１２
【補正方法】変更
【補正の内容】
【００１２】
本願発明は以下の構成を有するものである。尚、参照符号は、本願発明の理解促進の為に図面に図示した構成要素との対応関係の一例を示したものであり、本願発明の技術的範囲を限定するものではない。
第１の発明（遊技機）は、遊技者により第１位置から第２位置まで回転操作が可能な回転操作部(8)と、前記回転操作部(8)の回転操作状態を検出する回転操作状態検出手段(8a)と、前記回転操作状態検出手段(8a)により検出された回転操作状態に応じた強度で遊技領域(4a)に遊技球を発射する発射手段(9)と、前記発射手段(9)により発射された遊技球が通過可能な始動領域(21,22a)と、前記始動領域(21,22a)を遊技球が通過したことを条件に演出を行なう演出手段(7)と、所定条件が成立した場合に、前記演出手段(7)により行なわれている演出の内容を変更する演出変更手段(50)と、前記回転操作部(8)により所定位置から予め設定された回転操作が行なわれたことを検出する特定操作検出手段(49)を備え、前記演出変更手段(50)は、前記特定操作検出手段(49)により前記予め設定された回転操作が行なわれたことが検出された場合に、前記演出の内容を変更し、前記特定操作検出手段(49)により検出される回転操作を、前記所定位置から前記発射手段(9)の発射強度が変更されない所定操作範囲内で行うことが可能であることを特徴としている。
【手続補正２】
【補正対象書類名】明細書
【補正対象項目名】００１３
【補正方法】変更
【補正の内容】
【００１３】
第２の発明（遊技機）は、遊技者により第１位置から第２位置まで回転操作が可能な回転操作部(8)と、前記回転操作部(8)の回転操作状態を検出する回転操作状態検出手段(8a)と、前記回転操作状態検出手段(8a)により検出された回転操作状態に応じた強度で遊技領域(4a)に遊技球を発射する発射手段(9)と、前記発射手段(9)により発射された遊技球が通過可能な始動領域(21,22a)と、前記始動領域(21,22a)を遊技球が通過したことを条件に演出を行なう演出手段(7)と、所定条件が成立した場合に、前記演出手段(7)により行なわれている演出の内容を変更する演出変更手段(50)と、遊技者により前記演出の内容を変更する為の所定操作を行なうことが可能な演出操作部(6)と、前記演出操作部(6)の前記所定操作を検出する演出操作検出手段(6a)と、前記回転操作部(8)により予め設定された回転操作が行なわれたことを検出する特定操作検出手段(49)とを備え、前記演出変更手段(50)は、前記演出操作検出手段(6a)により前記演出操作部(6)の前記所定操作が検出された場合と前記特定操作検出手段(49)により前記回転操作部(8)の前記回転操作が検出された場合の何れの場合でも前記演出の内容を変更することを特徴としている。
【手続補正３】
【補正対象書類名】明細書
【補正対象項目名】００１４
【補正方法】削除
【補正の内容】
【手続補正４】
【補正対象書類名】明細書
【補正対象項目名】００１５
【補正方法】変更
【補正の内容】
【００１５】
本願発明によれば、回転操作部の回転操作でもって演出操作機能を実現することができ、演出の内容を変更する為の操作を容易に行なうことができる。
【手続補正５】
【補正対象書類名】明細書
【補正対象項目名】００１９
【補正方法】変更
【補正の内容】
【００１９】
開閉扉３には、窓３ａの下側に遊技球を貯留する貯留皿５が設けられ、この貯留皿５の右部に遊技者が操作可能な演出ボタン６（演出操作部）が装着されている。演出ボタン６は、常開型のプッシュボタンで構成され、貯留皿５の上面側から押下操作可能に配設されている。演出ボタン６には、演出ボタン６が押下操作されたことを検出する演出ボタン検出スイッチ６ａ（演出操作検出手段）（図６参照）が付設されている。
【手続補正６】
【補正対象書類名】明細書
【補正対象項目名】００３０
【補正方法】変更
【補正の内容】
【００３０】
図４に示すように、操作ハンドル１８において、操作停止位置（原点位置）から正面視時計回り方向に１０度の回動角度の操作位置が最弱操作位置（第１操作位置）となり、球発射機構９から遊技球が最小の発射強度で発射され、原点位置から正面視時計回り方向に１１０度の回動角度の操作位置が最大操作位置（第２操作位置）となり、球発射機構９から遊技球が最大の発射強度で発射される。操作ハンドル１８の回動角度が１０度未満の場合、発射強度は「０」であり、遊技球は発射されない。球発射機構９においては、操作ハンドル１８の回動角度が１０５度〜１１０度未満の回転操作範囲（第２位置から第１位置方向への所定範囲の回転操作）の場合には発射強度は変更されず、つまり、前記最大発射強度が保持されるように設定されている。例えば、操作ハンドル１８を最大操作位置まで操作した後、その近傍の１０６度の回動角度の操作位置に戻しても最大発射強度が保持される。この場合、最大操作位置（第２操作位置）が所定位置に相当する。
【手続補正７】
【補正対象書類名】明細書
【補正対象項目名】００６４
【補正方法】変更
【補正の内容】
【００６４】
次に、実施例２のパチンコ遊技機１について説明するが、実施例１と同様の構成要素には同様の参照符号を付して説明を省略し、異なる構成要素についてのみ説明する。
実施例２においては、操作ハンドル１８により行なわれる予め設定された回転操作（特定操作）として操作ハンドル１８を最大操作位置（所定位置）に操作した状態からその近傍の操作範囲の位置（原点位置から１０５度〜１１０度未満の回動角度範囲の操作位置）に一旦戻してから再度最大操作位置へ操作することで操作ハンドル１８の演出ボタン６の操作に相当する演出操作機能を可能にする。
【手続補正８】
【補正対象書類名】特許請求の範囲
【補正対象項目名】全文
【補正方法】変更
【補正の内容】
【特許請求の範囲】
【請求項１】
遊技者により第１位置から第２位置まで回転操作が可能な回転操作部と、
前記回転操作部の回転操作状態を検出する回転操作状態検出手段と、
前記回転操作状態検出手段により検出された回転操作状態に応じた強度で遊技領域に遊技球を発射する発射手段と、
前記発射手段により発射された遊技球が通過可能な始動領域と、
前記始動領域を通過したことを条件に演出を行なう演出手段と、
所定条件が成立した場合に、前記演出手段により行なわれている演出の内容を変更する演出変更手段と、
前記回転操作部により所定位置から予め設定された回転操作が行なわれたことを検出する特定操作検出手段を備え、
前記演出変更手段は、
前記特定操作検出手段により前記予め設定された回転操作が行なわれたことが検出された場合に、前記演出の内容を変更し、
前記特定操作検出手段により検出される回転操作を、前記所定位置から前記発射手段の発射強度が変更されない所定操作範囲内で行うことが可能である、
ことを特徴とする遊技機。
【請求項２】
遊技者により第１位置から第２位置まで回転操作が可能な回転操作部と、
前記回転操作部の回転操作状態を検出する回転操作状態検出手段と、
前記回転操作状態検出手段により検出された回転操作状態に応じた強度で遊技領域に遊技球を発射する発射手段と、
前記発射手段により発射された遊技球が通過可能な始動領域と、
前記始動領域を遊技球が通過したことを条件に演出を行なう演出手段と、
所定条件が成立した場合に、前記演出手段により行なわれている演出の内容を変更する演出変更手段と、
遊技者により前記演出の内容を変更する為の所定操作を行なうことが可能な演出操作部と、
前記演出操作部の前記所定操作を検出する演出操作検出手段と、
前記回転操作部により予め設定された回転操作が行なわれたことを検出する特定操作検出手段とを備え、
前記演出変更手段は、
前記演出操作検出手段により前記演出操作部の前記所定操作が検出された場合と前記特定操作検出手段により前記回転操作部の前記回転操作が検出された場合の何れの場合でも前記演出の内容を変更する、
ことを特徴とする遊技機。